(57)【要約】【課題】各プロジェクタの投射画像の位置調整などの調整操作を行うための調整用画像を複数のプロジェクタ間で容易に区別できるような調整用画像とする。【解決手段】複数のプロジェクタＰＪ１〜ＰＪ４に画像信号を入力して、前記画像信号に基づいた画像を前記複数のプロジェクタの各プロジェクタがスクリーンＳＣＲ上に投射するマルチプロジェクションシステムであって、前記各プロジェクタＰＪ１〜ＰＪ４に前記画像信号として同じ調整用画像信号を入力し、当該調整用画像信号に基づいて調整用画像を前記スクリーンＳＣＲ上に投射することによって前記各プロジェクタの調整を行う際に、前記複数のプロジェクタの各プロジェクタが投射する前記調整用画像の色度及び／又は輝度を前記各プロジェクタごとに変換可能な調整用画像変換手段を有する。【選択図】図１
2008061160.tif 000002
【特許請求の範囲】
【請求項１】
複数のプロジェクタに画像信号を入力して、前記画像信号に基づいた画像を前記複数の
プロジェクタの各プロジェクタがスクリーン上に投射するマルチプロジェクションシステ
ムであって、
前記各プロジェクタに前記画像信号として同じ調整用画像信号を入力し、当該調整用画
像信号に基づいて調整用画像を前記スクリーン上に投射することによって前記各プロジェ
クタの調整を行う際に、前記複数のプロジェクタの各プロジェクタが投射する前記調整用
画像の色度及び／又は輝度を前記各プロジェクタごとに変換可能な調整用画像変換手段を
有することを特徴とするプルチプロジェクションシステム。
【請求項２】
請求項１に記載のマルチプロジェクションシステムであって、
前記各プロジェクタは、前記複数のプロジェクタの他のプロジェクタとの識別が可能な
識別番号を設定する識別番号設定部と、設定された識別番号を記憶する識別番号記憶部と
、前記識別番号が与えられると当該識別番号が自身の識別番号であるか否かを判定する機
能及び前記調整用画像変換手段を制御する機能を有する制御部とを有することを特徴とす
るマルチプロジェクションシステム。
【請求項３】
請求項２に記載のマルチプロジェクションシステムであって、
前記制御部は、前記与えられた識別番号が自身の識別番号であると判定した場合に、前
記調整用画像の変換を行うべく前記調整用画像変換手段を制御することを特徴とするマル
チプロジェクションシステム。
【請求項４】
請求項２に記載のマルチプロジェクションシステムであって、
前記制御部は、前記与えられた識別番号が自身の識別番号でないと判定した場合に、前
記調整用画像の変換を行うべく前記調整用画像変換手段を制御することを特徴とするマル
チプロジェクションシステム。
【請求項５】
請求項２〜４のいずれかに記載のマルチプロジェクションシステムにおいて、
前記調整用画像変換手段は、前記各プロジェクタが有する画像信号変換部であって、前
記画像信号変換部は、変換規則に基づいて前記調整用画像信号を変換する機能を有するこ
とを特徴とするマルチプロジェクションシステム。
【請求項６】
請求項５に記載のマルチプロジェクションシステムにおいて、
前記変換規則は、前記調整用画像をどのように変換するかを示す変換内容が前記識別番
号に対応して記述され、前記画像信号変換部は、自身の識別番号に対応する前記変換内容
に基づいて前記調整用画像信号を変換することを特徴とするマルチプロジェクションシス
テム。
【請求項７】
請求項６に記載のマルチプロジェクションシステムにおいて、
前記変換内容は、ＲＧＢ要素の１つ以上の要素の値をゼロとした内容であることを特徴
とするマルチプロジェクションシステム。
【請求項８】
請求項６に記載のマルチプロジェクションシステムにおいて、
前記変換内容は、ＲＧＢ要素の２つ以上の要素の値を相互に入れ替えた内容であること
を特徴とするマルチプロジェクションシステム。
【請求項９】
請求項２〜４のいずれかに記載のマルチプロジェクションシステムにおいて、
前記調整用画像変換手段は、前記各プロジェクタが投射する画像の色度及び／又は輝度
を変更可能な光学的フィルタと、前記光学的フィルタを前記プロジェクタが投射する画像
の光路上に出没可能に駆動する光学的フィルタ駆動装置と、前記光学的フィルタ駆動装置
を制御する光学的フィルタ駆動装置制御部とによって構成されていることを特徴とするマ
ルチプロジェクションシステム。
【請求項１０】
請求項９に記載のマルチプロジェクションシステムにおいて、
前記光学的フィルタ駆動装置制御部は、前記各プロジェクタに設けられ、当該プロジェ
クタの前記制御部によって制御されることを特徴とするマルチプロジェクションシステム
。
【請求項１１】
請求項１〜１０のいずれかに記載のマルチプロジェクションシステムにおいて、
前記複数のプロジェクタは、それぞれが投射する画像が前記スクリーン上でタイリング
表示されるようにそれぞれが画像の投射を行うことを特徴とするマルチプロジェクション
システム。
【請求項１２】
請求項１〜１０のいずれかに記載のマルチプロジェクションシステムにおいて、
前記複数のプロジェクタは、それぞれが投射する画像が前記スクリーン上でスタッキン
グ表示されるようにそれぞれが画像の投射を行うことを特徴とするマルチプロジェクショ
ンシステム。
【請求項１３】
複数のプロジェクタに画像信号を入力して、前記画像信号に基づいた画像を前記複数の
プロジェクタの各プロジェクタがスクリーン上に投射するマルチプロジェクションシステ
ムに用いられるプロジェクタであって、
前記各プロジェクタに同じ調整用画像を入力して前記各プロジェクタの調整を行う際に
用いる調整用画像の色度及び／又は輝度を変換する調整用画像変換手段を有することを特
徴とするプロジェクタ。
【発明の詳細な説明】
【技術分野】
【０００１】
本発明は、複数台のプロジェクタを協調動作させてスクリーン上に画像を表示するマル
チプロジェクションシステム及びマルチプロジェクションシステムに用いるプロジェクタ
に関する。
【背景技術】
【０００２】
複数台のプロジェクタを協調動作させてスクリーン上に画像を表示するマルチプロジェ
クションシステムとしては、複数のプロジェクタが投射する画像をスクリーン上で重ねて
表示を行うスタッキング投射型のマルチプロジェクションシステム（スタッキングディス
プレイシステムという）と、複数のプロジェクタが投射する画像を並べて表示するタイリ
ング投射型のマルチプロジェクションシステム（タイリングディスプレイシステムという
）が知られている。
【０００３】
スタッキングディスプレイシステムにおいては、各プロジェクタには表示すべき全体画
像に対応する画像信号が与えられ、複数のプロジェクタが同じ画像をスクリーン上の同じ
位置に投射を行う。
【０００４】
一方、タイリングディスプレイシステムにおいては、各プロジェクタは自身に割り当て
られた部分画像を表示して、これらの部分画像がスクリーン上の所定位置に投射されるこ
とによってスクリーン上で全体画像が表示される。このようなタイリングディスプレイシ
ステムにおいては、各プロジェクタで投射すべき部分画像に対応する部分画像信号をどこ
で生成するかによって、大きく分けて２つの方法がある。
【０００５】
その第１の方法は、パーソナルコンピュータ（ＰＣという）など画像信号出力装置で部
分画像を生成して、生成した部分画像を各プロジェクタに入力する方法であり、第２の方
法は、各プロジェクタが画像信号出力装置などから全体画像に対応する画像信号を受け取
って、個々のプロジェクタで部分画像を生成する方法である。
【０００６】
第１の方法は、タイリングディスプレイシステムで広く採用されている方法であり、こ
の第１の方法においては、プロジェクタ側は与えられた部分画像信号を用いて部分画像を
投射すればよいので、プロジェクタ側には部分画像を生成する機能を設ける必要はない。
その一方で、画像信号出力装置側で、どのように部分画像を生成するか、生成した部分画
像をどのようにして送るかという点で、様々な工夫が必要となる。
【０００７】
これに対して、第２の方法は、プロジェクタ内部で自身に割り当てられた部分画像に対
応する画像信号を生成するものであるため、プロジェクタ側では、部分画像に対応する画
像信号を生成する機能が必要である。その一方で、画像信号出力装置側では、全てのプロ
ジェクタに同じ画像信号を入れればよいので、画像信号出力処理を単純なものとすること
ができる。
【０００８】
ところで、現在のプロジェクタは、複数の画像信号入力端子を有しているのが一般的で
ある。また、これら画像信号入力端子に入力される画像信号は、アナログ信号として入力
される。その際、異なる画像信号入力端子から入力された画像信号が、表示デバイス上で
の位置や大きさが異なってしまうという現象がある。これはアナログ信号の特性によるも
のと考えられる。
【０００９】
このような現象は、１台のプロジェクタで表示を行う場合は、殆ど問題にはならないが
、プロジェクタをスタッキングディスプレイシステムやタイリングディスプレイシステム
に用いる場合、画像入力端子を切り替えるたびに表示デバイス上での位置や大きさが異な
ってしまうということになり、その都度、位置調整などを行う必要がある。
【００１０】
たとえば、個々のプロジェクタにおいて、例えば、「入力端子１」と「入力端子２」の
２つの画像信号入力端子があって、「入力端子１」には第１の画像信号出力装置（ＰＣと
する）からの画像信号、「入力端子２」には第２の画像信号出力装置（テレビジョンなど
のビデオ機器とする）からの画像信号が入力されるように設定されているとした場合、「
入力端子１」に入力されるＰＣからの画像信号を利用して、各プロジェクタのスクリーン
上での投射位置を適切に調整したとしても、投射すべき画像信号を「入力端子２」に入力
されるビデオ機器からの画像信号に切り替えると投射位置が異なってしまうという現象が
発生する場合がある。
【００１１】
そこで、スクリーン上での投射位置の調整などを行う場合は、実運用で利用する画像信
号入力端子に調整用信号を入力する必要がある。ところが、前述の「第２の方法」、すな
わち、全てのプロジェクタが同じ全体画像を受け取って、各プロジェクタ内部で部分画像
を生成する方法を採用する場合、全てのプロジェクタに同じ画像信号を入力する構成とな
っており、個別のプロジェクタに別々の画像信号を入れることが難しいため、自動にせよ
手動にせよ調整が困難であるという問題がある。
【００１２】
従来、複数のプロジェクタが投射する画像を自動的に調整する技術は種々提案されてい
る（例えば特許文献１参照）。特許文献１に開示された技術（以下では従来技術という）
は、複数のプロジェクタからそれぞれ異なる色を有する光ビームを発生し、プロジェクタ
の通常の使用時に、プロジェクタが投射する画像を撮像して得られた撮像画像データに基
づいてプロジェクタが投射する画像を自動的に調整するものである。
【００１３】
【特許文献１】特表２００１-５２５６４０号公報
【発明の開示】
【発明が解決しようとする課題】
【００１４】
前述の従来技術には、各プロジェクタにおいて異なった色を有する光ビームを如何にし
て生成するかといったことは明記されてはない。特に、前述の「第２の方法」、すなわち
、全てのプロジェクタが全体画像を受け取って、各プロジェクタ内部で部分画像を生成す
る方法においては、個別のプロジェクタに別々の画像信号を入れることが難しいため、異
なった色を有するビームを各プロジェクタで投射するには何らかの工夫が必要となる。ま
た、前述の「第１の方法」、すなわち、パーソナルコンピュータなどの外部機器で部分画
像を生成して、生成した部分画像を各プロジェクタに入力する方法であれば、異なる色を
有する画像信号を生成する信号発生手段（信号源）を用意する必要があるという問題があ
る。
【００１５】
そこで本発明は、スタッキングディスプレイシステムやタイリングディスプレイシステ
ムなどのマルチプロジェクションシステムを構成する複数のプロジェクタに同じ映像信号
を入力し、各プロジェクタでは入力された映像信号に基づいて表示を行うマルチプロジェ
クションシステムにおいて、各プロジェクタが投射する画像の位置調整などの調整操作を
行うための調整用画像をスクリーン上で区別しやすい調整用画像に変換可能とし、それに
よって、各プロジェクタが投射する画像の調整操作を円滑かつ高精度に行えるようにした
マルチプロジェクションシステム及びマルチプロジェクションシステムに用いるプロジェ
クタを提供することを目的とする。
【課題を解決するための手段】
【００１６】
（１）本発明のマルチプロジェクションシステムは、複数のプロジェクタに画像信号を
入力して、前記画像信号に基づいた画像を前記複数のプロジェクタの各プロジェクタがス
クリーン上に投射するマルチプロジェクションシステムであって、前記各プロジェクタに
前記画像信号として同じ調整用画像信号を入力し、当該調整用画像信号に基づいて調整用
画像を前記スクリーン上に投射することによって前記各プロジェクタの調整を行う際に、
前記複数のプロジェクタの各プロジェクタが投射する前記調整用画像の色度及び／又は輝
度を前記各プロジェクタごとに変換可能な調整用画像変換手段を有することを特徴とする
。
【００１７】
このような構成とすることにより、各プロジェクタの調整操作（各プロジェクタが投射
する画像の位置調整などの調整操作）を行う調整モード時において、各プロジェクタから
は、様々な色度や輝度を有する調整用画像をスクリーン上に投射することができる。例え
ば、複数のプロジェクタの各プロジェクタごとに異なった色を有する調整用画像を表示さ
せるようにすれば、どのプロジェクタがどの画像を投射しているかを容易に判別すること
ができ、どのプロジェクタの画像をどのように調整すればよいかが容易にわかる。これに
より、各プロジェクタが投射する画像の位置調整などの調整操作を円滑かつ高精度に行う
ことができる。
【００１８】
（２）前記（１）に記載のマルチプロジェクションシステムにおいては、前記各プロジ
ェクタは、前記複数のプロジェクタの他のプロジェクタとの識別が可能な識別番号を設定
する識別番号設定部と、設定された識別番号を記憶する識別番号記憶部と、前記識別番号
が与えられると当該識別番号が自身の識別番号であるか否かを判定する機能及び前記調整
用画像変換手段を制御する機能を有する制御部とを有することが好ましい。
このような構成を有することによって、例えば、タイリングディスプレイシステムを構
成するプロジェクタのうちのある特定のプロジェクタを指定して、指定したプロジェクタ
ごとに調整用画像を変換して、変換後の調整用画像を投射することが可能となる。
【００１９】
（３）前記（２）に記載のマルチプロジェクションシステムにおいては、前記制御部は
、前記与えられた識別番号が自身の識別番号であると判定した場合に、前記調整用画像の
変換を行うべく前記調整用画像変換手段を制御することが好ましい。
これは、マルチプロジェクションシステムを構成するプロジェクタのうちのある特定の
プロジェクタを指定したとき、指定された特定のプロジェクタのみが調整用画像を変換す
るというものである。これにより、特定のプロジェクタが投射する調整用画像と他のプロ
ジェクタが投射する調整用画像とを容易に区別することができ、特定のプロジェクタが投
射する画像の位置調整を行うような場合、調整操作がしやすくなり、調整操作の効率化が
図れる。
【００２０】
（４）前記（２）に記載のマルチプロジェクションシステムにおいては、前記制御部は
、前記与えられた識別番号が自身の識別番号でないと判定した場合に、前記調整用画像の
変換を行うべく前記調整用画像変換手段を制御することが好ましい。
これは、マルチプロジェクションシステムを構成するプロジェクタのうちのある特定の
プロジェクタを指定したとき、指定された特定のプロジェクタ以外のプロジェクタが調整
用画像を変換するというものであり、これによっても、特定のプロジェクタが投射する調
整用画像と他のプロジェクタが投射する調整用画像とを容易に区別することができ、特定
のプロジェクタが投射する画像の位置調整を行うような場合、調整操作がしやすくなり、
調整操作の効率化が図れる。
【００２１】
（５）前記（２）〜（４）のいずれかに記載のマルチプロジェクションシステムにおい
ては、前記調整用画像変換手段は、前記各プロジェクタが有する画像信号変換部であって
、前記画像信号変換部は、変換規則に基づいて前記調整用画像信号を変換する機能を有す
ることが好ましい。
これは、各プロジェクタが有する画像信号変換部を調整用画像変換手段として用いるも
のである。画像信号変換部は、各プロジェクタが元々有している構成要素であり、また、
画像信号変換部は色度及び輝度を変換する機能を有している。したがって、各プロジェク
タが元々有する構成要素を用いることで本発明を容易に実現することができる。
【００２２】
（６）前記（５）に記載のマルチプロジェクションシステムにおいては、前記変換規則
は、前記調整用画像をどのように変換するかを示す変換内容が前記識別番号に対応して記
述され、前記画像信号変換部は、自身の識別番号に対応する前記変換内容に基づいて前記
調整用画像信号を変換することが好ましい。
このような変換規則を予め用意しておくことにより、各プロジェクタでは、自身に割り
当てられた識別番号に基づいてどのように調整用画像を変換すべきかを容易に知ることが
できる。
【００２３】
（７）前記（６）に記載のマルチプロジェクションシステムにおいては、前記変換内容
は、ＲＧＢ要素の１つ以上の要素の値をゼロとした内容であることが好ましい。
これは、例えば、あるプロジェクタにおいては、ＲＧＢ要素のうちＧ，Ｂの値を共に「
０」とし、あるプロジェクタにおいては、ＲＧＢ要素のうちＲ，Ｇの値を共に「０」とす
るというように、個々のプロジェクタごとにＲＧＢ要素の１つ以上の要素の値をゼロとし
た内容を設定しておくものであり、このような設定に基いて調整用画像の変換を行うこと
により、変換後の調整用画像は異なった色を有するものとなり、どのプロジェクタがどの
調整用画像を投射しているかを容易に区別することができる。
【００２４】
（８）前記（６）に記載のマルチプロジェクションシステムにおいては、前記変換内容
は、ＲＧＢ要素の２つ以上の要素の値を相互に入れ替えた内容であることが好ましい。
これは、例えば、あるプロジェクタにおいては、ＲＧＢ要素のうちＧとＢの値を相互に
入れ替えＲ、あるプロジェクタにおいては、ＲＧＢ要素のうちＲとＧの値を相互に入れ替
えるというように、個々のプロジェクタごとにＲＧＢ要素の１つ以上の要素の値をゼロと
した内容を設定しておくものであり、このような設定に基いて調整用画像の変換を行うこ
とによっても、変換後の調整用画像は異なった色を有するものとなり、どのプロジェクタ
がどの調整用画像を投射しているかを容易に区別することができる。変換後の調整用画像
は操作者にとって容易に区別し易い調整用画像とすることができる。
【００２５】
（９）前記（２）〜（４）のいずれかに記載のマルチプロジェクションシステムにおい
ては、前記調整用画像変換手段は、前記各プロジェクタが投射する画像の色度及び／又は
輝度を変更可能な光学的フィルタと、前記光学的フィルタを前記プロジェクタが投射する
画像の光路上に出没可能に駆動する光学的フィルタ駆動装置と、前記光学的フィルタ駆動
装置を制御する光学的フィルタ駆動装置制御部とによって構成されていることもまた好ま
しい。
このように、調整用画像を光学的フィルタを用いて変換することも可能であり、例えば
各プロジェクタごとに色の異なる光学的フィルタを各プロジェクタの光路上に出没可能に
設けることによって、各プロジェクタからの調整用画像を異なった色とすることができる
。
【００２６】
（１０）前記（９）に記載のマルチプロジェクションシステムにおいては、前記光学的
フィルタ駆動装置制御部は、前記各プロジェクタに設けられ、当該プロジェクタの前記制
御部によって制御されることが好ましい。
このような光学的フィルタ駆動装置制御部を各プロジェクタが有することによって、各
プロジェクタごとに容易に光学的フィルタの切り替えが可能となる。
【００２７】
（１１）前記（１）〜（１０）のいずれかに記載のマルチプロジェクションシステムに
おいては、前記複数のプロジェクタは、それぞれが投射する画像が前記スクリーン上でタ
イリング表示されるようにそれぞれが画像の投射を行うことが可能である。
このようなタイリング投射型のマルチプロジェクションシステムにおいて、各プロジェ
クタからの部分画像の位置調整などの調整を行う場合、各プロジェクタからの調整用画像
が各プロジェクタごとに例えば異なった色を有することにより、各プロジェクタからの部
分画像の位置調整などの調整を容易に行うことができる。
【００２８】
（１２）前記（１）〜（１０）のいずれかに記載のマルチプロジェクションシステムに
おいては、前記複数のプロジェクタは、それぞれが投射する画像が前記スクリーン上でス
タッキング表示されるようにそれぞれが画像の投射を行うことも可能である。
このようなスタッキング投射型のマルチプロジェクションシステムにおいて、各プロジ
ェクタが投射する画像の位置調整などの調整を行う場合、各プロジェクタからの調整用画
像が各プロジェクタごとに例えば異なった色を有することにより、各プロジェクタが投射
する画像の位置調整などの調整を容易に行うことができる。
【００２９】
（１３）本発明のプロジェクタは、複数のプロジェクタに画像信号を入力して、前記画
像信号に基づいた画像を前記複数のプロジェクタの各プロジェクタがスクリーン上に投射
するマルチプロジェクションシステムに用いられるプロジェクタであって、前記各プロジ
ェクタに同じ調整用画像を入力して前記各プロジェクタの調整を行う際に用いる調整用画
像の色度及び／又は輝度を変換する調整用画像変換手段を有することを特徴とする。
このようなプロジェクタをマルチプロジェクションシステムに用いることにより、前記
（１）に記載のマルチプロジェクションシステムを実現することができる。なお、（１３
）に記載のプロジェクタにおいても、（２）〜（１０）のマルチプロジェクションシステ
ムの特徴を有することが好ましい。
【発明を実施するための最良の形態】
【００３０】
以下、本発明の実施形態について説明する。
本発明は、スタッキングディスプレイシステム及びタイリングディスプレイシステムの
両方に適用可能であるが、以下の実施形態ではタイリングディスプレイシステムを例にと
って説明する。また、以下の各実施形態では、タイリングディスプレイシステムを構成す
るプロジェクタの台数は、説明の簡単化のため、縦方向に２台、横方向に２台の合計４台
であるとする。
【００３１】
また、本発明は、前述した第２の方法、すなわち、各プロジェクタが情報処理機器など
から全体画像に対応する画像信号を受け取って、個々のプロジェクタで部分画像を生成す
るものであるとする。
また、本発明は、調整用画像の色度及び／又は輝度を変換することを可能とするもので
あるが、以下の実施形態では、色度（単に色とする）を変換する例について説明する。
【００３２】
[実施形態１]
図１は実施形態１に係るタイリングディスプレイシステムの構成を概念的に示す図であ
る。実施形態１に係るタイリングディスプレイシステムは、図１に示すように、４台のプ
ロジェクタＰＪ１〜ＰＪ４と、スクリーンＳＣＲとを有し、プロジェクタＰＪ１〜ＰＪ４
のそれぞれに割り当てられた部分画像が各プロジェクタＰＪ１〜ＰＪ４からスクリーンＳ
ＣＲの所定位置に投射されることによって、スクリーンＳＣＲ上で全体画像が表示される
。なお、図１においては、各プロジェクタＰＪ１〜ＰＪ４からの各部分画像のうちの隣接
する部分画像の一部に重なり領域を有するようにスクリーンＳＣＲ上に投射される例が示
されている。
【００３３】
また、実施形態１に係るタイリングディスプレイシステムは、ＰＣ（パーソナルコンピ
ュータ）などの画像信号出力装置１０、画像信号出力装置１０からの画像信号を各プロジ
ェクタＰＪ１〜ＰＪ４に分配する画像信号分配装置２０を有し、画像信号出力装置１０か
らの画像信号は、画像信号分配装置２０によって各プロジェクタＰＪ１〜ＰＪ４に分配さ
れる。なお、前述したように、各プロジェクタＰＪ１〜ＰＪ４には同じ画像信号が入力さ
れ、各プロジェクタＰＪ１〜ＰＪ４において自身に割り当てられた部分画像を生成する。
【００３４】
また、図１においては、各プロジェクタＰＪ１〜ＰＪ４は、１つの入力端子Ｄｉｎに画
像信号が入力されている例が示されているが、各プロジェクタは図示を省略しているが複
数の入力端子を有し、他の画像信号出力装置（例えばテレビジョンなど）からの画像信号
を入力可能とし、複数の画像信号出力装置からの画像信号を切り替えて使用可能となって
いるものとする。
【００３５】
図２は図１に示したマルチプロジェクションシステムに用いるプロジェクタの構成を示
す図である。プロジェクタＰＪ１〜ＰＪ４は、図２に示すように、光学系部１００と画像
表示制御装置２００とを有している。
【００３６】
光学系部１００は概略的には、光源１０１、光変調素子１０２Ｒ，１０２Ｇ，１０２Ｂ
、クロスダイクロイックプリズム１０３、投射光学系１０４などを有している。
また、画像表示制御装置２００は、入力信号処理部２０１、コマンド入力部２０２、識
別番号設定部２０３、画像信号変換部２０４、制御部２０５、画像変換パラメータ記憶部
２０６、識別番号記憶部２０７、光源駆動部２０８、出力信号処理部２０９、光変調素子
駆動部２１０などを有している。
【００３７】
入力信号処理部２０１は、画像信号分配装置２０で分配された画像信号出力装置１０か
らの画像信号を入力して、入力した画像信号をＡ／Ｄ変換など所定の画像信号処理を行う
機能を有している。
コマンド入力部２０２は、例えば、リモートコントローラ（リモコンという）３０など
によって与えられた各種のコマンドを入力するものであり、本発明の各実施形態を説明す
る上で必要なコマンドとしては、プロジェクタが投射する画像の位置調整などの調整を行
う際の調整モード設定コマンド、識別番号を設定する際の識別番号設定コマンド、各プロ
ジェクタＰＪ１〜ＰＪ４を個々に指定するためのプロジェクタ指定コマンドなどがある。
【００３８】
識別番号設定部２０３は、個々のプロジェクタを識別するための固有の番号を設定する
もので、ユーザなどにより当該プロジェクタに対し所定の識別番号を設定することができ
る。設定された識別番号は、制御部２０５によって識別番号記憶部２０７に記憶される。
図１に示すタイリングディスプレイシステムの場合、例えば、プロジェクタＰＪ１には「
ＩＤ１」、プロジェクタＰＪ２には「ＩＤ２」、プロジェクタＰＪ３には「ＩＤ３」、プ
ロジェクタＰＪ４には「ＩＤ４」というような識別番号が設定される。なお、識別番号の
設定は、ユーザがリモコン３０などによって行うことが可能である。
【００３９】
画像変換パラメータ記憶部２０６に記憶される記憶内容としては、歪み補正など通常の
プロジェクタにおいて行われる各種の補正を行うための補正パラメータの他に、実施形態
１に係るマルチプロジェクションシステムにおいては、調整用画像の変換を行うための変
換規則（詳細は後述する）も記憶している。
【００４０】
画像信号変換部２０４は、制御部２０５によって画像変換パラメータ記憶部２０６から
読み出された画像変換パラメータを用いて入力信号処理部２０１で処理された画像信号を
光変調素子１０２Ｒ，１０２Ｇ，１０２Ｂに与えるべき適切な画像信号として変換する機
能を有する。
【００４１】
また、画像信号変換部２０４は、実施形態１に係るマルチプロジェクションシステムに
おいては、調整用画像変換手段としての機能を有する。すなわち、調整モード設定時にお
いて、各プロジェクタで表示すべき調整用画像信号を、画像変換パラメータ記憶部２０６
から読み出された変換規則を用いて変換する機能を有している。この具体例については後
述する。なお、調整モード設定時には、画像信号出力装置１０から画像信号分配装置２０
によって全てのプロジェクタＰＪ１〜ＰＪ４に対して同じ調整用画像信号が与えられる。
【００４２】
また、出力信号処理部２０９は、画像信号変換部２０４で変換された画像信号をＤ／Ａ
変換して光変調素子駆動部２１０に与える機能を有する。また、光変調素子駆動部２１０
は、出力信号処理部２０９でＤ／Ａ変換された画像信号に基づいて光変調素子１０２Ｒ，
１０２Ｇ，１０２Ｂを駆動する機能を有する。
また、光源駆動部２０８は、光源１０１に対して点灯・消灯制御及び明るさの制御を行
う機能を有する。
【００４３】
このような構成において、実施形態１に係るタイリングディスプレイシステムを構成す
る各プロジェクタが投射する画像の位置調整を行う例について説明する。
まず、各プロジェクタＰＪ１〜ＰＪ４に対し調整モードとするための設定を行う。この
調整モードの設定は、例えば、ユーザがリモコン３０などによって行うことが可能である
。この場合、リモコン３０からの信号はコマンド入力部２０２に与えられ、制御部２０５
によって調整モードの設定がなされる。
【００４４】
調整モードの設定がなされると、各プロジェクタＰＪ１〜ＰＪ４の画像信号変換部２０
４は、前述したように、当該プロジェクタで表示すべき調整用画像信号を、設定された変
換規則に基づいて変換する。この変換規則は、種々設定することができるが、ここでは、
図３のような変換規則が各プロジェクタＰＪ１〜ＰＪ４の画像変換パラメータ記憶部２０
６に記憶されているものとする。
【００４５】
図３は変換規則（その１）の一例を示す図である。図３に示す変換規則は、例えば、「
ＩＤ１」の識別番号を有するプロジェクタに対しては（Ｒ，０，０）、「ＩＤ２」の識別
番号を有するプロジェクタに対しては（０，Ｇ，０）、「ＩＤ３」の識別番号を有するプ
ロジェクタに対しては（０，０，Ｂ）、「ＩＤ４」の識別番号を有するプロジェクタに対
しては（０，Ｇ，Ｂ）とするというように、調整用画像をどのように変換するかを示す変
換内容が識別番号に対応して記述されている。
【００４６】
図３に示すような変換規則を設定しておくことにより、例えば、調整用画像をグレース
ケール、すなわち、ＲＧＢの信号値を等しくしたものを各プロジェクタＰＪ１〜ＰＪ４に
与えることで、各プロジェクタＰＪ１〜ＰＪ４の各画像信号変換部２０４では、設定され
た変換規則に基づいて調整用画像を変換する。
【００４７】
例えば、「ＩＤ１」の識別番号を有するプロジェクタＰＪ１においては、図３に示す変
換規則によれば、自身の変換内容が（Ｒ，０，０）であるので、入力された調整用画像信
号のＲＧＢ要素のうちＧとＢをともに「０」とするような画像信号変換を行う。他のプロ
ジェクタも同様に、図３に示す変換規則に基づいて、入力された調整用画像信号を変換す
る。
【００４８】
図４は図３に示す変換規則（その１）に基づいて変換した変換後の調整用画像信号によ
って得られる調整用画像の例を示す図である。図４に示す調整用画像は格子パターンを有
するものとする。図４（ａ）は変換前の調整用画像（元調整用画像という）、すなわち、
画像信号出力装置１０から出力される調整用画像信号に対応する調整用画像であり、格子
パターンがグレースケールで表されたものとなっている。
【００４９】
図４（ｂ）は図４（ａ）の元調整用画像に対し、変換内容（Ｒ，０，０）に基づいて変
換した調整用画像であり、格子パターンが赤色（Ｒが所定値の赤色）を有した調整用画像
となる。また、図４（ｃ）は図４（ａ）の元調整用画像に対し、変換内容（０，Ｇ，０）
に基づいて変換した調整用画像であり、格子パターンが緑色（Ｇが所定値の緑色）を有し
た調整用画像となる。また、図４（ｄ）は図４（ａ）の元調整用画像に対し、変換内容（
０，０，Ｂ）に基づいて変換した調整用画像であり、格子パターンが青色（Ｂが所定値の
青色）を有した調整用画像となる。
図４はモノクロ図面であるため、図４からは色の変化の具合を読み取ることは困難であ
るが、図４の元となるカラー画像上では色の変化の具合を容易に読み取ることができる。
【００５０】
このように、調整モードの設定がなされることによって、プロジェクタＰＪ１〜ＰＪ４
では、図３に示す変換規則から自身に割り当てられた識別番号に対応する変換内容を取得
して、取得した変換内容に基づいて、入力された調整用画像を変換し、変換後の調整用画
像信号に対応する調整用画像をスクリーンＳＣＲ上に投射する。
【００５１】
このとき、スクリーンＳＣＲ上では、プロジェクタＰＪ１〜ＰＪ４ごとに異なった色を
有する調整用画像が表示されるため、どのプロジェクタがどの画像を投射しているかを容
易に判別することができ、位置調整などを行う場合、どのプロジェクタの画像をどのよう
に調整すればよいかが容易にわかるので、位置調整などの調整操作を円滑かつ高精度に行
うことができる。なお、位置調整などの調整操作は、リモコン３０によって特定のプロジ
ェクタを指定して行うことができる。
【００５２】
また、上記の例のように、調整モードの設定がなされることによって、プロジェクタＰ
Ｊ１〜ＰＪ４が図３に示す変換規則に基づいて、各プロジェクタＰＪ１〜ＰＪ４の調整用
画像信号を一斉に変換して、変換後の各プロジェクタＰＪ１〜ＰＪ４の調整用画像を表示
することも可能であるが、ある特定のプロジェクタを指定して、指定したプロジェクタ（
注目プロジェクタという）のみの調整用画像信号を図３に示す変換規則に基づいて変換し
て、変換後の注目プロジェクタのみの調整用画像を表示させることも可能である。
【００５３】
図５は調整モード時における個々のプロジェクタに対するコマンドの発行例について説
明する図である。図５に示すように、例えば、プロジェクタＰＪ２を指定するために、リ
モコン３０において識別番号「ＩＤ２」を入力すると、リモコン３０からはプロジェクタ
指定コマンドが発信され、そのプロジェクタ指定コマンドは全てのプロジェクタ（この場
合、プロジェクタＰＪ１〜ＰＪ４）に与えられる。
【００５４】
プロジェクタＰＪ１〜ＰＪ４は、リモコン３０から発信されたプロジェクタ指定コマン
ドをコマンド入力部２０２で受信する。これにより、プロジェクタＰＪ１〜ＰＪ４は、そ
れぞれの制御部２０５が識別番号記憶部２０７を参照することにより、コマンド入力部２
０２から入力されたプロジェクタ指定コマンドが自身の識別番号と一致するか否かを判定
する。この例では、プロジェクタ指定コマンドは「ＩＤ２」を指示しているので、プロジ
ェクタＰＪ２のみがリモコン３０によって自身が指示されたことを認識する。
【００５５】
そして、プロジェクタＰＪ２は、入力信号処理部２０１に入力された調整用画像信号に
対し、変換規則（図３参照）に基づいて画像信号変換を行う。この例では、識別番号「Ｉ
Ｄ２」に対する変換内容が（０、Ｇ，０）であるので、例えば、元調整用画像が図４（ａ
）のような画像であるとすれば、ＲとＢの値が「０」で、Ｇが所定の値を有する緑色の調
整用画像（図４(ｃ)参照）となる。
【００５６】
同様に、リモコン３０によって例えば識別番号「ＩＤ１」を指示すると、リモコン３０
からはプロジェクタ指定コマンドが発信され、そのプロジェクタ指定コマンドは全てのプ
ロジェクタ（この場合、プロジェクタＰＪ１〜ＰＪ４）に与えられる。この場合、プロジ
ェクタＰＪ１のみがリモコンによって自身が指示されたことを認識する。
【００５７】
そして、プロジェクタＰＪ１は、入力信号処理部２０１に入力された調整用画像信号に
対し、変換規則（図３参照）に基づいて画像信号変換を行う。この例では、プロジェクタ
ＰＪ２の変換内容が（Ｒ、０，０）であるので、例えば、元調整用画像が図４（ａ）のよ
うな画像であるとすれば、ＧとＢの値が「０」で、Ｒが所定の値を有する赤色の調整用画
像（図４(ｂ)参照）となる。
【００５８】
同様に、リモコン３０によって例えば識別番号「ＩＤ３」を指示すると、この場合は、
プロジェクタＰＪ３のみがリモコンによって自身が指示されたことを認識する。プロジェ
クタＰＪ３は、図３に示す変換規則から変換内容（０，０，Ｂ）を取得して、調整用画像
を変換する。これにより、プロジェクタＰＪ３の調整用画像は、ＲとＧの値が「０」で、
Ｂが所定の値を有する青色の調整用画像（図４(ｄ)参照）となる。
【００５９】
以上説明したように、タイリングディスプレイシステムを構成する各プロジェクタＰＪ
１〜ＰＪ４では、画像信号分配装置２０から入力された調整用画像信号に対し、図３に示
すような変換規則に基づいて調整用画像信号を変換する処理を行うことができる。
【００６０】
このように変換された調整用画像は、例えば図４（ｂ）〜（ｄ）のように、プロジェク
タＰＪ１〜ＰＪ４ごとに、格子パターンが異なった色を有する調整用画像となる。なお、
図４においては、プロジェクタＰＪ４が投射する調整用画像は示されていないが、プロジ
ェクタＰＪ４（識別番号「ＩＤ４」）が投射する調整用画像は、図３に示す変換規則によ
れば、その変換内容が（Ｒ，Ｇ，０）であるので、Ｂの値が「０」で、ＲとＧが所定の値
を有する調整用画像となる。
【００６１】
このように、プロジェクタＰＪ１〜ＰＪ４の調整時においてプロジェクタＰＪ１〜ＰＪ
４ごとに異なった色を有する調整用画像がスクリーン上に表示されるため、どのプロジェ
クタがどの画像を投射しているかを容易に判別することができる、これにより、位置調整
操作を行うような場合、どのプロジェクタの画像をどのように調整すればよいかが容易に
わかるので、位置調整などの調整操作を円滑かつ高精度に行うことができる。
【００６２】
なお、タイリングディスプレにおいて、プロジェクタの台数が多数であって、全てのプ
ロジェクタに対し異なった色を有する調整用画像を生成することが困難な場合は、少なく
とも隣接するプロジェクタが投射する調整用画像を異なった色とするという方法も可能で
ある。これは以下に示す他の実施形態についても同様である。
【００６３】
[実施形態２]
実施形態１に係るマルチプロジェクションシステムおいては、プロジェクタＰＪ１〜Ｐ
Ｊ４に設定される変換規則の変換内容として、ＲＧＢ要素のうち１つ以上の要素の値を「
０」とした例で説明したが、実施形態２に係るマルチプロジェクションシステムは、元調
整用画像信号のＲＧＢ要素のうち複数の要素の値を入れ替えた変換内容を設定するもので
ある。
【００６４】
図６は変換規則（その２）の一例を示す図である。図６に示す変換規則は、例えば、「
ＩＤ１」の識別番号を有するプロジェクタＰＪ１に対しては（Ｒ，Ｇ，Ｂ）を（Ｒ，Ｂ，
Ｇ）とし、「ＩＤ２」の識別番号を有するプロジェクタＰＪ２に対しては（Ｒ，Ｇ，Ｂ）
を（Ｂ，Ｇ，Ｒ）とし、「ＩＤ３」の識別番号を有するプロジェクタＰＪ３に対しては（
Ｒ，Ｇ，Ｂ）を（Ｇ，Ｒ，Ｂ）とし、「ＩＤ４」の識別番号を有するプロジェクタＰＪ４
に対しては（Ｒ，Ｇ，Ｂ）を（Ｂ，Ｒ，Ｇ）とするというように、調整用画像をどのよう
に変換するかを示す変換内容が識別番号に対応して記述されている。
【００６５】
図６に示す変換規則は、画像信号のＲＧＢ要素のうち複数の要素の値を入れ替えたもの
であり、識別番号「ＩＤ１」〜「ＩＤ３」に対しては、２色の入れ替え、識別番号「ＩＤ
４」，「ＩＤ５」に対しては３色の入れ替えを行った例が示されている。
【００６６】
図７は図６に示す変換規則に基づいて変換した変換後の調整用画像信号によって得られ
る調整用画像の例を示す図である。なお、図７においては一般的な画像を用いた例が示さ
れている。図７（ａ）は元画像に対応する画像信号である。図７（ｂ）〜図７（ｄ）は２
色の入れ替えの例であり、図７（ｅ）及び図７（ｆ）は３色の入れ替えの例である。
【００６７】
図７（ｂ）は図７（ａ）の元画像に対し、（Ｒ，Ｇ，Ｂ）を（Ｒ，Ｂ，Ｇ）とする変換
内容を用いて変換した画像信号である。また、図７（ｃ）は図７（ａ）の元画像に対し、
（Ｒ，Ｇ，Ｂ）を（Ｂ，Ｇ，Ｒ）とする変換内容を用いて変換した画像信号である。また
、図７（ｄ）は図７（ａ）の元画像に対し、（Ｒ，Ｇ，Ｂ）を（Ｇ，Ｒ，Ｂ）とする変換
内容を用いて変換した画像信号である。
【００６８】
また、図７（ｅ）は図７（ａ）の元画像に対し、（Ｒ，Ｇ，Ｂ）を（Ｂ，Ｒ，Ｇ）とす
る変換内容を用いて変換した変換後の画像信号である。また、図７（ｆ）は図７（ａ）の
元画像に対し、（Ｒ，Ｇ，Ｂ）を（Ｇ，Ｂ，Ｒ）とする変換内容を用いて変換した変換後
の画像信号である。
図７はモノクロ図面であるため、図７からは色の変化の具合を読み取ることは困難であ
るが、図７の元となるカラー画像上では色の変化の具合を容易に読み取ることができる。
【００６９】
図７は一般的な画像を例にとって説明したが調整用画像においても、図６に示すような
変換規則に基づいて、調整用画像信号の色を変換することができる。例えば、プロジェク
タＰＪ１においては、図６に示す変換規則によれば、自身（識別番号「ＩＤ１」）に対す
る変換内容が（Ｒ，Ｇ，Ｂ）を（Ｒ，Ｂ，Ｇ）となっているので、画像信号変換部２０４
は、入力された調整用画像信号のＲＧＢ要素のうちＧの値とＢの値を互いに入れ替えるよ
うな画像信号変換を行う。他のプロジェクタも同様に、図６に示す変換規則から自身に割
り当てられた識別番号に対応する変換内容を取得して、取得した変換内容に基づいて、入
力された調整用画像を変換する。
【００７０】
このようにして、タイリングディスプレイシステムを構成する各プロジェクタＰＪ１〜
ＰＪ４においては、画像信号分配装置２０から入力された調整用画像信号に対し、それぞ
れに割り当てられた識別番号に対応する変換内容に基づいて調整用画像信号を変換するこ
とができる。これによって変換された調整用画像信号によって投射される調整用画像は、
プロジェクタＰＪ１〜ＰＪ４ごとに異なった色を有する調整用画像となる。
【００７１】
実施形態２においても実施形態１と同様、プロジェクタＰＪ１〜ＰＪ４の調整時におい
てプロジェクタＰＪ１〜ＰＪ４ごとに異なった色を有する調整用画像がスクリーン上に表
示されるため、どのプロジェクタがどの画像を投射しているかを容易に判別することがで
きる。これにより、位置調整操作を行うような場合、どのプロジェクタの画像をどのよう
に調整すればよいかが容易にわかるので、位置調整などの調整操作を円滑かつ高精度に行
うことができる。
【００７２】
[実施形態３]
前述の実施形態１及び実施形態２においては、画像信号変換部２０４が調整用画像変換
手段としての機能を有し、図３または図６に示すような変換規則に基づいて元調整用画像
信号を変換することによって、プロジェクタＰＪ１〜ＰＪ４ごとに色の異なる調整用画像
を投射可能したが、実施形態３では、光学的フィルタによってプロジェクタＰＪ１〜ＰＪ
４ごとに調整用画像を変換するものである。
【００７３】
図８は実施形態３に係るタイリングディスプレイシステムの構成を概念的に示す図であ
る。図８は図１に対応する図であるが、タイリングディスプレイシステムを構成するプロ
ジェクタＰＪ１〜ＰＪ４の投射光路上に、特定の色を通過可能な光学的フィルタＦＬ１〜
ＦＬ４が各プロジェクタＰＪ１〜ＰＪ４に対応して設けられている点が図１と異なる。
【００７４】
光学的フィルタＦＬ１〜ＦＬ４（以下では単にフィルタＦＬ１〜ＦＬ４という）は、例
えば、フィルタＦＬ１は赤、フィルタＦＬ２は緑、フィルタＦＬ３は青、フィルタＦＬ４
は黄というように設定し、フィルタＦＬ１をプロジェクタＰＪ１、フィルタＦＬ２をプロ
ジェクタＰＪ２、フィルタＦＬ３をプロジェクタＰＪ３、フィルタＦＬ４をプロジェクタ
ＰＪ４のそれぞれの投射光路上に設ける。
【００７５】
また、これらフィルタＦＬ１〜ＦＬ４は、フィルタ駆動装置７０（図１０参照）によっ
て各プロジェクタＰＪ１〜ＰＪ４の投射光路上に個々のフィルタごとに出没可能となって
いる。
【００７６】
図９は実施形態３に係るマルチプロジェクションシステムに用いられるプロジェクタの
構成を示す図である。実施形態２に係るマルチプロジェクションシステムに用いられるプ
ロジェクタＰＪ１〜ＰＪ４は、図２に示した実施形態１に係るプロジェクタと同様に、光
学系部１００と画像表示制御装置２００とを有しているが、図９に示すプロジェクタＰＪ
１〜ＰＪ４においては、調整用画像像の変換の仕方が実施形態１と異なっている。
【００７７】
すなわち、実施形態１では、調整用画像信号を画像信号変換部２０４が、図３または図
６に示すような変換規則に基づいてソフトウエア的に変換するようにしたが、実施形態３
に係るマルチプロジェクションシステムに用いられるプロジェクタＰＪ１〜ＰＪ４は、フ
ィルタＦＬ１〜ＦＬ４によって調整用画像の色を個々のプロジェクタごとに変換するよう
にしている。
【００７８】
このため、実施形態２に係るプロジェクタＰＪ１〜ＰＪ４は、図１０に示すフィルタ駆
動装置７０を制御するためのフィルタ駆動装置制御部２２０を有している点が図２と異な
る。その他、図２と同じ構成要素には同一符号が付されている。なお、画像変換パラメー
タ記憶部２０６は、実施形態１においても述べたように、歪み補正など通常のプロジェク
タにおいて行われる各種の補正を行うための補正パラメータを記憶している。
また、実施形態３に係るマルチプロジェクションシステムにおいては、フィルタＦＬ１
〜ＦＬ４、フィルタ駆動装置７０、フィルタ駆動装置制御部２２０によって調整用画像変
換手段が構成される。
【００７９】
図１０はフィルタ駆動装置７０の構成例を示す図である。図１０は、ある１つのプロジ
ェクタに対応するフィルタ駆動装置７０について説明するが、他のプロジェクタに対応す
るフィルタ駆動装置７０も同様の構成を有するものとする。
【００８０】
フィルタ駆動装置７０は、複数の投射光通過孔を有する円盤状部材でなるフィルタ保持
板７１、このフィルタ保持板７１を回転させることによってフィルタを切り替え制御する
フィルタ切替制御部７２（モータ７３とモータ制御部７４とを有する）、フィルタ保持板
７１の初期位置を検出するための初期位置検出用センサ７５、そして、これらフィルタ切
替制御部７２、初期位置検出用センサ７５などが取り付けられ、プロジェクタＰＪ１〜Ｐ
Ｊ４のそれぞれの筐体の側面と上端面の一部を跨ぐように設置される構成部品取付台７６
を有している。なお、モータ７３としてはステッピングモータを用いるものとする。
【００８１】
フィルタ保持板７１は、その中心部７１ａがモータ７３の回転軸７３ａにネジ７１ｂな
どによって固定される。また、フィルタ保持板７１には、複数（例えば２個とする）の円
形や矩形（図７では円形としている）の開口部でなる投射光通過孔Ｐ０，Ｐ１が等間隔を
有して同心円上に設けられている。
これらの投射光通過孔Ｐ０，Ｐ１のうちの投射光通過孔Ｐ１には、ある特定の色のみを
通過させるフィルタ（図８に示すフィルタＦＬ１〜ＦＬ４のいずれか）が取り付けられる
。また、投射光通過孔Ｐ０は、対応するプロジェクタが投射する画像をそのまま通過させ
る単なる孔となっている。
【００８２】
なお、プロジェクタＰＪ１に対応するフィルタ駆動装置７０の投射光通過孔Ｐ１にはフ
ィルタＦＬ１が取り付けられ、プロジェクタＰＪ２に対応するフィルタ駆動装置７０の投
射光通過孔Ｐ１にはフィルタＦＬ２が取り付けられ、プロジェクタＰＪ３に対応するフィ
ルタ駆動装置７０の投射光通過孔Ｐ１にはフィルタＦＬ３が取り付けられ、プロジェクタ
ＰＪ４に対応するフィルタ駆動装置７０の投射光通過孔Ｐ１にはフィルタＦＬ４が取り付
けられる。
【００８３】
また、フィルタＦＬ１〜ＦＬ４の各投射光通過孔Ｐ１への取り付けは、フィルタＦＬ１
〜ＦＬ４の例えば左右方向両端部を、投射光通過孔Ｐ１の外側のフィルタ保持板７１の円
盤面に何らかの取付手段によって固定することで行う。この取付手段としては、たとえば
、マグネット、マジックテープ（登録商標）、ネジ止めなど様々な取付手段を用いること
ができるが、フィルタＦＬ１〜ＦＬ４の着脱が容易で、かつ、取り付け後のフィルタＦＬ
１〜ＦＬ４が脱落しにくい取付手段であることが好ましい。
【００８４】
なお、各投射光通過孔Ｐ０，Ｐ１は、フィルタ保持板７１上において１８０度の間隔を
有して設けられる。また、各投射光通過孔Ｐ０，Ｐ１は、プロジェクタＰＪ１〜ＰＪ４が
投射する画像を完全に通過可能な（プロジェクタが投射する画像の「ケラレ」が無いよう
な）径を有している。
【００８５】
フィルタ保持板７１は、自身が回転することによって、各投射光通過孔Ｐ０，Ｐ１が順
次、プロジェクタＰＪ１〜ＰＪ４が投射する画像にそれぞれ対応する位置、すなわち、プ
ロジェクタＰＪ１〜ＰＪ４の投射レンズＬにそれぞれ対向する位置となるように設けられ
る。このとき、プロジェクタＰＪ１〜ＰＪ４の投射レンズＬに対向した投射光通過孔Ｐ０
，Ｐ１は、プロジェクタＰＪ１〜ＰＪ４が投射する画像を完全に通過可能となるように投
射レンズＬに対向する位置となる。
【００８６】
そして、フィルタ保持板７１の初期位置（ここでは、投射光通過孔Ｐ０がプロジェクタ
ＰＪ１〜ＰＪ４の投射レンズＬに対向する位置を初期位置とする）から、モータ７３を１
８０度単位で回転させることにより、投射光通過孔Ｐ１と投射光通過孔Ｐ１とを交互にプ
ロジェクタＰＪ１〜ＰＪ４の投射レンズＬに対向させる位置とすることができる。
【００８７】
なお、フィルタ保持板７１の初期位置の検出は、初期位置検出用センサ（フォトインタ
ラプタなど）７５が、フィルタ保持板７１に設けられた切り欠き部や凸部（図示せず）を
検出することによって行うことができる。
また、フィルタ切替制御部７２のモータ制御部７４は、プロジェクタＰＪ１〜ＰＪ４の
制御部２０５によって制御される。
【００８８】
このように構成されたフィルタ駆動装置７０は、初期位置として、フィルタが取り付け
られていない投射光通過孔Ｐ０が各プロジェクタＰＪ１〜ＰＪ４の投射レンズＬに対向し
ており、この状態においては、各プロジェクタＰＪ１〜ＰＪ４が投射する画像はそのまま
投射光通過孔Ｐ０を通過してスクリーンＳＣＲ上に投射される。
【００８９】
ここで、各プロジェクタＰＪ１〜ＰＪ４に対し、調整モードとするための設定をリモコ
ン３０などによって行うと、リモコン３０からの信号はコマンド入力部２０２に与えられ
、制御部２０５によって調整モードの設定がなされる。
【００９０】
調整モードの設定がなされると、各プロジェクタＰＪ１〜ＰＪ４に対応するフィルタ駆
動装置７０のモータ制御部７４が各プロジェクタＰＪ１〜ＰＪ４の制御部２０５によって
制御されることにより、各フィルタ駆動装置７０の各フィルタ保持板７１が１８０度回転
し、各投射光通過孔Ｐ１が各プロジェクタＰＪ１〜ＰＪ４の投射レンズＬに対向する位置
となる。
【００９１】
この場合、プロジェクタＰＪ１に対応するフィルタ駆動装置７０の投射光通過孔Ｐ１に
はフィルタＦＬ１が取り付けられ、プロジェクタＰＪ２に対応するフィルタ駆動装置７０
の投射光通過孔Ｐ１にはフィルタＦＬ２が取り付けられ、プロジェクタＰＪ３に対応する
フィルタ駆動装置７０の投射光通過孔Ｐ１にはフィルタＦＬ３が取り付けられ、プロジェ
クタＰＪ４に対応するフィルタ駆動装置７０の投射光通過孔Ｐ１にはフィルタＦＬ４が取
り付けられているので、プロジェクタＰＪ１〜ＰＪ４から投射される調整用画像は、プロ
ジェクタＰＪ１〜ＰＪ４ごとに設けられたフィルタＦＬ１〜ＦＬ４を通過することによっ
てスクリーンＳＣＲ上では、プロジェクタＰＪ１〜ＰＪ４ごとに異なった色を有する調整
用画像となる。
【００９２】
なお、実施形態１でも説明したように、調整モードの設定がなされることによって、プ
ロジェクタＰＪ１〜ＰＪ４によって投射される各調整用画像を一斉に変換して、変換後の
各プロジェクタＰＪ１〜ＰＪ４の調整用画像をスクリーンＳＣＲ上に表示させることも可
能であるが、ある特定のプロジェクタを指定して、指定したプロジェクタ（注目プロジェ
クタ）に対応する調整用画像のみを変換して、変換後の注目プロジェクタの調整用画像を
スクリーンＳＣＲ上に表示させることも可能である。
【００９３】
この場合、実施形態１で説明したように、例えば、プロジェクタＰＪ１を指定するため
に、リモコン３０において識別番号「ＩＤ１」を入力すると、リモコン３０からはプロジ
ェクタ指定コマンドが発信され、そのプロジェクタ指定コマンドは全てのプロジェクタ（
この場合、プロジェクタＰＪ１〜ＰＪ４）に与えられる。この場合、プロジェクタＰＪ１
のみがリモコン３０によって自身が指示されたことを認識して、プロジェクタＰＪ１に対
応するフィルタ駆動装置７０が、投射光通過孔Ｐ１をプロジェクタＰＪ１の投射レンズＬ
に対向させる位置とすることができる。
【００９４】
これによって、プロジェクタＰＪ１から投射される調整用画像の色をフィルタＦＬ１に
よって変換することができる。他のプロジェクタに対しても個々のプロジェクタを指定す
ることによって、指定されたプロジェクタが投射する調整用画像の色を変換させることが
できる。
【００９５】
このように、実施形態３においても、実施形態１及び２と同様、プロジェクタＰＪ１〜
ＰＪ４の調整時においてプロジェクタＰＪ１〜ＰＪ４ごとに異なった色を有する調整用画
像がスクリーン上に表示されるため、どのプロジェクタがどの画像を投射しているかを容
易に判別することができる。これにより、位置調整操作を行うような場合、どのプロジェ
クタの画像をどのように調整すればよいかが容易にわかるので、位置調整などの調整操作
を円滑かつ高精度に行うことができる。
なお、フィルタＦＬ１〜ＦＬ４は、各プロジェクタＰＪ１〜ＰＪ４の内部に設けるよう
にしてもよい。
【００９６】
本発明は上述の実施形態に限られるものではなく、本発明の要旨を逸脱しない範囲で種
々変形実施可能となるものである。たとえば、前述の各実施形態では、ある特定のプロジ
ェクタを指定するような場合、指定したプロジェクタ（注目プロジェクタ）の調整用画像
の色が他のプロジェクタの調整用画像と異なるように、当該注目プロジェクタの調整用画
像を変換する例で説明したが、注目プロジェクタの調整用画像はそのままとし、注目プロ
ジェクタ以外のプロジェクタの調整用画像の色が注目プロジェクタの調整用画像と異なる
ように、注目プロジェクタ以外のプロジェクタの調整用画像を変換するようにしてもよい
。
【００９７】
また、前述の各実施形態では、各プロジェクタＰＪ１〜ＰＪ４から出力される調整用画
像の色を変換させる例であったが、色ではなく輝度を変換するようにしてもよく、また、
色と輝度の両方を変換するようにしてもよい。
【００９８】
また、前述の各実施形態では、画像信号出力装置１０からの画像信号を画像信号分配装
置２０によって各プロジェクタＰＪ１〜ＰＪ４に分配するような構成としたが、各プロジ
ェクタＰＪ１〜ＰＪ４が、自身の画像信号入力端子Ｄｉｎ（入力端子Ｄｉｎという）に入
力された画像信号をそのまま出力可能なモニタ出力端子を有していれば、図１１に示すよ
うに、各プロジェクタＰＪ１〜ＰＪ４を直列に接続することにより、画像信号出力装置１
０からの画像信号を画像信号分配装置２０を用いることなく、各プロジェクタＰＪ１〜Ｐ
Ｊ４に分配することが可能となる。
【００９９】
すなわち、図１１に示すように、画像信号出力装置１０からの画像信号を例えばプロジ
ェクタＰＪ１の入力端子Ｄｉｎに接続する。そして、プロジェクタＰＪ１のモニタ出力端
子ＭｏｕｔをプロジェクタＰＪ２の入力端子Ｄｉｎに接続し、プロジェクタＰＪ２のモニ
タ出力端子ＭｏｕｔをプロジェクタＰＪ３の入力端子Ｄｉｎに接続し、プロジェクタＰＪ
３のモニタ出力端子ＭｏｕｔをプロジェクタＰＪ４の入力端子Ｄｉｎに接続するというよ
うに、各プロジェクタＰＪ１〜ＰＪ４を直列接続する。
【０１００】
なお、モニタ出力端子Ｍｏｕｔは、入力端子Ｄｉｎにそのまま並列接続されている形態
も考えられるが、多段のカスケード接続を行う場合、画像信号が長い距離に渡って引き回
されることとなり、信号が減衰してしまうなどの弊害が生じる可能性もあるため、入力信
号処理部２０１に入力された画像信号を、バッファアンプを介してモニタ出力端子Ｍｏｕ
ｔから出力することが好ましい。
図１１のような構成としても、画像信号出力装置から出力される画像信号を、図１のよ
うに画像信号分配装置２０を用いた場合と同様に各プロジェクタＰＪ１〜ＰＪ４に分配す
ることができる。
【０１０１】
また、前述の各実施形態では、タイリングディスプレイシステムについて説明したが、
スタッキングディスプレイについても同様に実施することができる。
また、マルチプロジェクションシステムを構成するプロジェクタの台数は４台に限られ
るものではない。
【図面の簡単な説明】
【０１０２】
【図１】実施形態１に係るタイリングディスプレイシステムの構成を概念的に示す図。
【図２】図１に示したマルチプロジェクションシステムに用いるプロジェクタの構成を示す図。
【図３】変換規則（その１）の一例を示す図。
【図４】図３に示す変換規則（その１）に基づいて変換した変換後の調整用画像信号によって得られる調整用画像の例を示す図。
【図５】調整モード時における個々のプロジェクタに対するコマンドの発行例について説明する図。
【図６】変換規則（その２）の一例を示す図。
【図７】図６に示す変換規則（その２）に基づいて変換した変換後の調整用画像信号によって得られる調整用画像の例を示す図。
【図８】実施形態３に係るタイリングディスプレイシステムの構成を概念的に示す図。
【図９】実施形態３に係るマルチプロジェクションシステムに用いられるプロジェクタの構成を示す図。
【図１０】フィルタ駆動装置７０の構成例を示す図。
【図１１】各プロジェクタを直列に接続することによって画像信号出力装置からの画像信号を各プロジェクタに分配する構成例を示す図である。
【符号の説明】
【０１０３】
１０・・・画像信号出力装置、２０・・・画像信号分配装置、３０・・・リモートコン
トローラ（リモコン）、７０・・・フィルタ駆動装置、７１・・・フィルタ保持板、２０
０・・・画像表示制御装置、２０１・・・入力信号処理部、２０２・・・コマンド入力部
、２０３・・・識別番号設定部、２０４・・・画像信号変換部、２０５・・・制御部、２
０６・・・画像変換パラメータ記憶部、２０７・・・識別番号記憶部、２２０・・・フィ
ルタ駆動装置制御部、ＦＬ１〜ＦＬ４・・・フィルタ（光学的フィルタ）、Ｐ０，Ｐ１・
・・投射光通過孔、ＰＪ１〜ＰＪ４・・・プロジェクタ、ＳＣＲ・・・スクリーン、Ｄｉ
ｎ・・・画像信号入力端子、Ｍｏｕｔ・・・モニタ出力端子
【図３】
2008061160.tif 000003
【図６】
2008061160.tif 000004
【図１】
2008061160.tif 000005
【図２】
2008061160.tif 000006
【図４】
2008061160.tif 000007
【図５】
2008061160.tif 000008
【図７】
2008061160.tif 000009
【図８】
2008061160.tif 000010
【図９】
2008061160.tif 000011
【図１０】
2008061160.tif 000012
【図１１】
2008061160.tif 000013